(57)【要約】【課題】  従来より、電気の使用は、エネルギーとして、又最近では、ＩＴの発展により、コンピュータ等の情報通信に使用されますます重要になってきている。  反面、回路の絶縁不良があると、漏れ電流が発生し、電気火災の発生や、感電事故、又は、突然の停電などによる灯具等の電気機器の故障や、コンピュータのコントロール不能や、記録されてないデータの喪失等のＩＴ系統の大事故が起こる危険があった。  しかるに従来のＩ０電流遮断装置は、停電させて、絶縁不良電流値を絶縁抵抗系で図らねばならず、通電状態での計測はできなかった。又、従来より電気機器に流れる電流は、始動時に過大な突入電流が発生し、回路内の使用機器に問題を与えていた。【解決手段】  アイジーアール（ＩＧＲ）方式漏電遮断器を、設けることにより機器を保護することを特徴とするＩＧＲ漏電遮断装置を提供する。【選択図】図１
2012084494.tif 000002
【特許請求の範囲】
【請求項１】
交流の電流制御装置において、
電気機器の上流には、アイジーアール（以下Ｉｇｒで示す）漏電遮断装置が設けられ、電源Ｓは、Ｉｇｒ漏電遮断装置の内部に設けられたＩｇｒ測定部に連結されており、Ｉｇｒ電流を測定し、前記Ｉｇｒ測定部は、漏電判断部４に連結され、Ｉｇｒ電流があらかじめ設定された基準電流値を超えると、回路遮断部に信号が発せられ、回路の電流が、遮断されることを特徴とする漏電遮断装置。
【請求項２】
交流の電流制御装置において、
電気機器の上流には、Ｉｇｒ漏電遮断装置が設けられ、電源Ｓは、Ｉｇｒ漏電遮断装置の内部に設けられたＩｇｒ測定部に連結されており、Ｉｇｒ電流を測定し、前記Ｉｇｒ測定部は、漏電判断部４に連結され、Ｉｇｒ電流があらかじめ設定された基準電流値を超えると、回路遮断部に信号が発せられ、回路の電流が遮断される、
と共に電流値の経過情報、及び／又は電流遮断時の情報、及び／又は注意情報が、記録・表示部６に伝達されることを特徴とする電気機器の漏電遮断装置。
【請求項３】
Ｉｇｒ漏電遮断装置の内部には、ＩＣ基板が設けられ、該ＩＣ基板内に設けられ配線により前記Ｉｇｒ測定部に連結されており、前記Ｉｇｒ測定部は、漏電判断部に連結され、Ｉｇｒ電流があらかじめ設定された基準電流値を超えると、回路遮断部に信号が発せられ、回路の電流が遮断される構成となっており、前記Ｉｇｒ測定部、及び／又は前記漏電判断部、及び／又は前記回路遮断部、及び／又は記録・表示部のいずれかの一部又は全部が、前記ＩＣ基板内に設置されたことを特徴とする請求項１、又は請求項２記載の電気機器の漏電遮断装置。
【請求項４】
Ｉｇｒ漏電遮断装置は、元電源の配電盤の全体ブレーカー、及び／又は個別ブレーカー、及び／又はコンセント、及び／又はコードリール、及び／又は設置された個別機器の上流に設けられたことを特徴とする請求項１、又は請求項２記載、又は請求項３記載の電気機器の漏電遮断装置。
【請求項５】
Ｉｇｒ漏電遮断装置の上流側、及び／又は下流側には、電源投入時に発生する突入電流を抑制する電気機器の突入電流制御装置が、挿入配置されていることを特徴とする請求項１、又は請求項２記載、又は請求項３、又は請求項４記載の電気機器の漏電遮断装置。
【請求項６】
Ｉｇｒ漏電遮断装置の上流側、及び／又は下流側には、電源投入時に発生する突入電流を抑制する電気機器の突入電流制御装置が、挿入配置されており、更に前記突入電流制御装置の上流側に、ノイズフィルタＦが、挿入配置されていることを特徴とする請求項１、又は請求項２、又は請求項３、又は請求項４、又は請求項５記載の電気機器の漏電遮断装置。
【発明の詳細な説明】
【技術分野】
【０００１】  本発明は、交流の電流制御装置において、漏れ電流を計測し基準値を超えた場合に、回路を遮断する電気機器の漏電遮断装置に関する。
【背景技術】
【０００２】  従来より、電気の使用は、エネルギー源として、又最近では、ＩＴの発展により、コンピュータ等の情報通信に使用されますます重要になってきている。
反面、回路の絶縁不良があると、漏れ電流が発生し、電気火災の発生や、感電事故、又は、突然の停電などによる灯具等の電気機器の不具合、故障や、コンピュータのコントロール不能や、記録されてないデータの喪失等のＩＴ系統の大事故が起こる危険があった。【０００３】  しかるに従来のアイゼロ（以下Ｉ０と記す）漏電遮断装置は、停電させて、絶縁不良電流値を絶縁抵抗計で測らねばならず、通電状態での計測はできなかった。
漏れ電流アイゼロ（Ｉ０）電流には、対地絶縁抵抗に起因するアイシー（以下Ｉｃと記す）電流と、絶縁抵抗に直接関与しているアイジーアール（以下Ｉｇｒと記す）電流とが含まれている。
この漏れ電流の絶縁抵抗に直接関与しているアイジーアール（Ｉｇｒ）電流を測定し、それを基準とした管理電流Ｉｋを限界値として超過した部分の機器のみ回路遮断を行えば、全体回路系の遮断による事故を回避することができる。又、どの機器が漏電したかで、漏電した機器の絶縁状態をチェックすることができる。【０００４】  又漏れ電流Ｉ０電流には、インバータを搭載した機器においては、高調波のひずみ電流も発生し付加される。
しかるに、Ｉｇｒ電流を基準としたＩｇｒ漏電遮断装置を使用すれば、回路を停電せずに測定でき、高調波その他の前述の弊害を除去することができるのである。【０００５】  又、電流制御には、別途の課題がある。
それは、電気機器の始動時の突入電流制御であって、従来より電気機器に流れる電流は、始動時に過大な突入電流が発生し、回路内の使用機器に問題を与えていた。【０００６】  特に機器単体では影響度は少ないが、多数の機器が結線された回路に電流を投入すると過大な突入電流が流れ、テレビや蛍光灯等の灯具のちらつきが起きたり、配電盤のブレーカーが働き電源カットが起きるという問題が発生していた。【０００７】  特に最近は、コンピュータが多用されるようになり、突入電流、又は突入電流による電源電圧の大変動により、コンピュータの電源が突然切れ、保存していないデータが全部消失するという大きな問題が発生していた。そのため突入電流の抑制制御装置が望まれていた。
また、安定してきた通常領域においても、定常ノイズと呼ばれる外乱があり、これも同時に除くことがさらに望まれていた。
その対策として、本発明の特許出願人は、本発明に含まれる「突入電流の抑制制御装置（出願日平成２２年９月１７日）」を、出願しており、本発明はそれを改良するものである。
【発明の概要】
【発明が解決しようとする課題】
【０００８】  本発明は、これらに起因する問題を解決することのできるＩｇｒ電流を基準としたＩｇｒ漏電遮断装置、及びＩｇｒ漏電遮断装置と結合した突入電流の抑制制御装置を提供するものである。
【課題を解決するための手段】
【０００９】  交流の電流制御装置において、
電気機器の上流には、アイジーアール（以下Ｉｇｒで示す）漏電遮断装置が設けられ、電源Ｓは、Ｉｇｒ漏電遮断装置の内部に設けられたＩｇｒ測定部に連結されており、Ｉｇｒ電流を測定し、前記Ｉｇｒ測定部は、漏電判断部４に連結され、Ｉｇｒ電流があらかじめ設定された基準電流値を超えると、回路遮断部に信号が発せられ、回路の電流が、遮断されることを特徴とする漏電遮断装置を提供する。【００１０】  交流の電流制御装置において、
電気機器の上流には、Ｉｇｒ漏電遮断装置が設けられ、電源Ｓは、Ｉｇｒ漏電遮断装置の内部に設けられたＩｇｒ測定部に連結されており、Ｉｇｒ電流を測定し、前記Ｉｇｒ測定部は、漏電判断部４に連結され、Ｉｇｒ電流があらかじめ設定された基準電流値を超えると、回路遮断部に信号が発せられ、回路の電流が遮断される、
と共に電流値の経過情報、及び／又は電流遮断時の情報、及び／又は注意情報が、記録・表示部６に伝達されることを特徴とする電気機器の漏電遮断装置を提供する。【００１１】  Ｉｇｒ漏電遮断装置の内部には、ＩＣ基板が設けられ、該ＩＣ基板内に設けられ配線により前記Ｉｇｒ測定部に連結されており、前記Ｉｇｒ測定部は、漏電判断部に連結され、Ｉｇｒ電流があらかじめ設定された基準電流値を超えると、回路遮断部に信号が発せられ、回路の電流が遮断される構成となっており、前記Ｉｇｒ測定部、及び／又は前記漏電判断部、及び／又は前記回路遮断部、及び／又は記録・表示部のいずれかの一部又は全部が、前記ＩＣ基板内に設置されたことを特徴とする請求項１、又は請求項２記載の電気機器の漏電遮断装置を提供する。【００１２】  Ｉｇｒ漏電遮断装置は、元電源の配電盤の全体ブレーカー、及び／又は個別ブレーカー、及び／又はコンセント、及び／又はコードリール、及び／又は設置された個別機器の上流に設けられたことを特徴とする請求項１、又は請求項２記載、又は請求項３記載の電気機器の漏電遮断装置を提供する。【００１３】  Ｉｇｒ漏電遮断装置の上流側、及び／又は下流側には、電源投入時に発生する突入電流を抑制する電気機器の突入電流制御装置が、挿入配置されていることを特徴とする請求項１、又は請求項２記載、又は請求項３、又は請求項４記載の電気機器の漏電遮断装置を提供する。【００１４】  Ｉｇｒ漏電遮断装置の上流側、及び／又は下流側には、電源投入時に発生する突入電流を抑制する電気機器の突入電流制御装置が、挿入配置されており、更に前記突入電流制御装置の上流側に、ノイズフィルタＦが、挿入配置されていることを特徴とする請求項１、又は請求項２、又は請求項３、又は請求項４、又は請求項５記載の電気機器の漏電遮断装置を提供する。
【発明の効果】
【００１５】（１）従来のＩ０電流遮断装置は、停電させて、絶縁不良電流値を絶縁抵抗計で図らねばならず、通電状態での計測はできなかったがＩｇｒ漏電遮断装置を使用すれば、回路を停電せずに測定できる。
（２）この漏れ電流の絶縁抵抗に直接関与しているＩｇｒ電流を測定し、それを基準とした管理電流Ｉｋを限界値として、超過した部分の機器のみ回路遮断を行えば、事故を起こさずに、全体回路系の停電を防ぐことができる。
（３）Ｉｇｒ漏電遮断器を、設けることにより、過熱事故、漏電事故を防止することにより機器を保護することが出来る。
（４）インバータを搭載した機器においては、高調波のひずみ電流も発生し付加されるが高調波その他の前述の弊害を除去することができる。
（５）従来、主に元電源の全体ブレーカーに漏電遮断装置が設けられてきたが、
本発明においては、その構成が小型のため元電源の配電盤の全体ブレーカーだけでなく小型の個別ブレーカーや、コンセント、コードリール、延長コード、又は設置された個別機器の上流に設けることができる。
（６）そのため、万一機器の絶縁が不良で、漏電が発生しても、その機器の回路だけ遮断できるので、他のコンピュータやＩＣ機器に障害を与えることが防げるのである。
（７）始動時の過大な突入電流を抑制し、テレビや蛍光灯等の灯具のちらつきを防止することができる。
（８）過大な突入電流による配電盤のブレーカーが作動し電源カットが起きるという問題を防止することができる。
（９）特に突入電流の増大、又は突入電流による電源電圧の大幅低下により、コンピューター電源が突然切れ、保存していないデータが全部消失するという大きな問題を防止でき
（１０）過大な突入電流による悪影響を抑制することで、外乱に敏感な各種の省電力型機器を適用できることより省エネルギー対策となる。
（１１）ノイズフィルタを併設することにより、通常領域においても、定常ノイズと呼ばれる外乱も同時に除くことができる。
【図面の簡単な説明】
【００１６】
【図１】実施例１の概略回路図である。
【図２】Ｉ０電流と、Ｉｃ電流と、Ｉｇｒ電流のベクトル関係図である。
【図３】従来のＩ０電流による漏電遮断と、Ｉｇｒ電流による漏電遮断の比較図である。
【図４】Ｉｇｒ漏電遮断装置の作動状況を示したブロック図である。
【図５】実施例２の構成を示した概略図である。
【図６】実施例３の構成を示した概略図である。
【図７】実施例４の構成を示した概略回路図である。
【図８】実施例５の構成を示した概略回路図である。
【図９】従来の突入電流発生状況を示す状態図である。
【図１０】本発明の突入電流発生状況を示す状態図である。
【発明を実施するための形態】
【００１７】  本発明は、発明の効果等に前述した如く、これらに起因する問題を解決することのできるアイジーアール（Ｉｇｒ）電流を基準としたＩｇｒ漏電遮断装置を提供するものである。
又、突入電流の前記抑制制御装置を提供するものである。
【００１８】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【００１９】  以下、本発明の実施例について、説明する。
特に、本発明の根幹となる特徴は、最近急激に発展してきたＩＣチップを用いるもので、ＩＣ基板上に、抵抗、コンデンサー、遮断器、電気回路等を設置したものである。
【００２０】従来の漏電遮断装置に対し、ＩＣチップを用いるため、大幅に小型化され、回路のゆるみや、損傷がほとんどなく、小型となるので、小さな空間に設置でき、又発熱量が少ないという特徴を有するのである。この特徴は、突入電流の前記抑制制御装置においても同様である。
【００２１】  従来、主に元電源の全体ブレーカーに漏電遮断装置が設けられてきたが、本発明においては、その構成が小型のため元電源の全体ブレーカーだけでなく、小型の個別ブレーカーや、コンセント、コードリール、延長コード、又は設置された個別機器の上流に設けることができる。
【００２２】  そのため、万一機器の絶縁が不良で、漏電が発生しても、その機器の回路だけ遮断できるので、他のコンピュータやＩＣ機器に障害を与えることが防げるのである。
又、Ｉ０電流の場合のように停電をしなくてもＩｇｒ電流の測定ができるので極めて多様性に富んでいるのである。
【実施例１】
【００２３】  図１は、実施例１の概略回路図である。
Ｉｇｒ漏電遮断装置１の内部には、ＩＣ基板２が設けられており、交流の電源Ｓは、
Ｉｇｒ漏電遮断装置１の内部に設けられたＩＧｒ測定部３に連結されており、Ｉｇｒ電流を測定する。
ＩＧｒ測定部３は、漏電判断部４に連結され、基準電流値Ｉｋを超えると、回路遮断部５に信号が発せられ、回路の電流は遮断される。
それと同時に遮断時の情報が、記録・表示部６に伝達され記録、表示されるのである。【００２４】  前記Ｉｇｒ測定部、及び／又は前記漏電判断部、及び／又は前記回路遮断部、及び／又は記録・表示部のいずれかの一部又は全部が、前記ＩＣ基板２内に設けられる。【００２５】  最近の著しい電子機器の開発に従って、その適用は更に進められ、電流容量の大きな場合も、漏電遮断装置１の小型化が可能となるのである。【００２６】  図２は、漏れ電流アイゼロ（以下Ｉ０で示す）電流と、対地絶縁抵抗に起因するアイシー（以下Ｉｃで示す）電流と、絶縁抵抗に直接関与しているＩｇｒ電流のベクトル関係を示すものである。
Ｉｇｒ電流は、Ｉｃ電流に対し９０°の位相差を有している。
Ｉ０電流は、それらのベクトル和となっているので値が大きくなるのである。【００２７】  図３は、従来のＩ０電流による漏電遮断の状況と、本発明のＩｇｒ電流による漏電遮断の状況を示すものである。
ここで、Ｉ０電流が、基準電流Ｉｋを超過した範囲１０を、−４５°斜線で示す。
又Ｉｇｒ電流が、基準電流Ｉｋを超過した範囲１１を、４５°斜線で示している。【００２８】  図２、図３を見て理解できるように、Ｉ０電流は、大きな値となるので、基準電流Ｉｋを超過した範囲１０の頻度は高くなるのに対し、Ｉｇｒ電流が、基準電流Ｉｋを超過した範囲１１は、頻度が少なく、従って漏電を起こしている機器を、選別して遮断することができるのである。【００２９】  図４は、Ｉｇｒ漏電遮断装置の作動状況を示した、ブロック図である。
スタートし、Ｉｇｒ漏電遮断装置１が起動すると、ＩＧｒ測定部３がＩｇｒ電流を測定し、ＩＧｒ測定部３は、漏電判断部４に連結され、基準電流Ｉｋを超過した時は、「漏電」と判断し、回路遮断部５に信号が発せられ、回路の電流は遮断される。
それと同時に遮断時の情報が、記録・表示部６に伝達され、記録、表示されるのである。
但し記録・表示部６は、Ｉｇｒ漏電遮断装置１内に設けず、監視しやすい別途の位置に設けてもよい。【００３０】  Ｉｇｒ電流が、基準電流Ｉｋを超過しない時は、「漏電でない」と判断し通常状態に復帰するのである。
回路の電流が、遮断された時は、状態を確認し、手動、又はコンピュータによる判断で再復帰させる。
【実施例２】
【００３１】  図５は、実施例２の構成を示した概略図である。
元電源の配電盤１２の全体ブレーカー１３には、Ｉｇｒ漏電遮断装置１が設けられている。これは、回路全体の漏電状態を監視する。【００３２】  枝分けした個別ブレーカー１４には、それぞれに、Ｉｇｒ漏電遮断装置１が設けられている。そのため、小分けした機器単位での漏電遮断が行えるのである。
更に、記録・表示部６が、全体ブレーカー１３及び／又は個別ブレーカー１４に設けられる。【００３３】  前記記録・表示部６は、液晶パネルで電流の状況を表示するパネル部６ａと、基準電圧Ｉｋに、達するまでは、正常状態を示す、例えばグリーンに点灯しており、遮断状態になると赤に変わるよう設定されている遮断状況ランプ６ｂ、及び基準電流Ｉｋ日数た時に危険を予報する予報ランプ６ｃが、設けられている。【００３４】  又、コンセント１５には、それぞれにＩｇｒ漏電遮断装置１が設けられている。
従って、個別ブレーカー１４の下流と、コンセント１５間の通常天井や壁内部に隠閉状態の配線の漏電を検知できる優れた効果を発揮する。
コンセント１５に接続された機器ごとの漏電遮断が行えるので、ピークの出やすい機器の個別管理が可能となるのである。
コンセントには、同様に前記記録・表示部６が設けられており、更に、遮断・復帰レバー５ａを設けてもよい。
コンセント１５の先に接続された電気機器Ａの絶縁状況は、コンセントに接続することにより良否が判断できるのである。
【実施例３】
【００３５】  図６は、実施例３の構成を示した概略図である。
この実施例３は、コードリール１６にＩｇｒ漏電遮断装置１を設けている。
このことは、特に「たこ足配線」されがちのコードリール１６を個別管理できるということである。【００３６】  同様に前記記録・表示部６が設けられており、更に、遮断・復帰レバー５ａを設けてもよい。
コンセント１５の先に接続された電気機器Ａの絶縁状況は、コンセントに接続することにより良否が判断できるのである。
その他、延長コードや、設置された家電機器、電子機器別に、監視遮断することが可能になるのである。
【実施例４】
【００３７】  前述の実施例１〜３は、単相交流に関して適用したものであるが、主として動力電源として適用される３相交流に対してもＩｇｒ漏電遮断装置１の適用が、重要である。（図示せず。）
３相３線デルタ結線では、従来のＩ０方式の漏電検出では解決できない問題が発生する。
Ｒ−Ｔ−Ｓという３層で構成されているが、Ｓ相は、運用時０電位となっているため大きな変化がもたらされる。【００３８】  Ｔ相での漏電発生では、Ｉ０電流値も増加し検出は可能であるが、Ｒ相の漏電発生では、危険値が増加したにもかかわらず、Ｉ０電流値は、減少してしまう傾向にあり、Ｉｇｒ電流での漏電遮断が更に重要である。
【実施例５】
【００３９】  本発明の実施例５について、図面を参照しながら説明する。
図７は、本発明のＩｇｒ漏電遮断装置１に、突入電流の前記抑制制御装置を結合した全体回路図である。【００４０】  突入電流の前記抑制制御装置の構成を詳説すると、
交流電源Ｓのプラス側からの回路１０１は、ヒューズ等の遮断装置１０２を介して、その下流側には、トランジスタＴｒと、コンデンサＣ、とダイオードＤとの組合せによって構成された電流制御ユニットＵ１が配置されている。【００４１】  次に電流制御ユニットＵ１内部の回路を説明すると、
回路１０３には、並列に分岐された回路１０４によりダイオードＤ３の一方に結線され、更に回路１０３の下流側には、同様に並列分岐された回路１０５により抵抗Ｒ１を介してダイオードＤ１の一方に結線され、更に回路１０３の下流側は、トランジスタＴｒ１に結線されている。【００４２】  前記トランジスタＴｒ１より並列分岐された回路１０６は抵抗Ｒ２を介して、前記ダイオードＤ１の下流側回路１０７に結線されている。
前記トランジスタＴｒ１の下流側回路１０８には、並列分岐された回路１０９が設けられ、コンデンサＣ１の一方に結線され、該コンデンサＣ１の他方は、回路１１０により、前記ダイオードＤ１の下流側回路１１１に結線されている。
前記トランジスタＴｒ１の下流側の回路１１２には、並列分岐された回路１１３が設けられトランジスタＴｒ２に接続されている。【００４３】  ダイオードＤ１の下流側の回路１１４はトランジスタＴｒ２の一方に結線されており、更に前記トランジスタＴｒ１の下流側の回路１１５は抵抗Ｒ３に連結され、該抵抗Ｒ３の下流の回路１１６は、トランジスタＴｒ２の下流側回路１１７により、並列接続されている。【００４４】  更に下流側回路１１８は、ダイオードＤ２の一方に連結され、該ダイオードＤ２の下流側回路１１９は、並列分岐された回路１２０によりダイオードＤ３の他方に連結され、下流側回路１１９は分岐の後、回路１２１により機器Ａのプラス側に連結されている。【００４５】  一方、交流電源Ｓのマイナス側には、電流制御ユニットＵ２が配置されている。
電流制御ユニットＵ２内部の回路は、電流制御ユニットＵ１と同様の構成となっており、機器Ａのマイナス側に連結されている。【００４６】  次に、電流制御ユニットＵ１と、Ｕ２の回路の機能について説明する。
トランジスタＴｒ１、Ｔｒ３は、電流を制限する主たる素子であって、コンデンサＣ１に、一定の電荷が蓄積されるまでトランジスタＴｒ１が、出力電流を遮断する。【００４７】  抵抗Ｒ１は、コンデンサＣ１に電荷を蓄積する速さを制御する素子で、抵抗Ｒ１の値が大きければ、時間が長くなる。
抵抗Ｒ３は、回路に流れる電流を検出するための素子で、Ｒ３両端の電位差が、トランジスタＴｒ２をＯＮにする電位になると、トランジスタＴｒ２が、ＯＮになる。
トランジスタＴｒ２が、ＯＮになることにより、トランジスタＴｒ１の電流制限が働く。【００４８】  抵抗Ｒ２は、コンデンサＣ１に蓄えられた電荷が、トランジスタＴｒ１に流れ込む電流を一定にすることにより、トランジスタＴｒ１を保護する役割をもつ。【００４９】  ダイオードＤ１は、交流波形でマイナス側になった場合も、コンデンサＣ１に蓄えられた電荷を保持する。
ダイオードＤ２、Ｄ３は、交流波形でプラス側の電流だけを流す。【００５０】  交流波形が、マイナス側のときは、電流制御ユニットＵ２が働いて、制御するのである。【００５１】  図９は、従来の突入電流発生状況を示すもので、安定してきた通常領域の電流値Ｃ２に対し、突入電流Ｃ１は、
Ｃ１＝（２．０〜２００）×Ｃ２
と極めて過大となり、前述の機器の損傷や問題を発生するのである。【００５２】  図１０は、本発明の突入電流制御装置を設けた状態の突入電流発生状況を示すもので、安定後の電流値Ｃ２に対し、
突入電流Ｃ３は、Ｃ３＝（１．１〜４．０）×Ｃ２
と極めて減少され、機器の損傷や問題を防ぐことができるのである。【００５３】  実使用時の実験例においては、蛍光灯Ｈｆ３２ワットの１灯での実使用において、Ｃ２＝０．４６アンペアに対し突入電流Ｃ１は、２０アンペアを示した。
次に本発明の突入電流制御装置を設けた状態では、Ｃ２＝０．４６アンペアに対し突入電流Ｃ３は、０．９アンペアと極めて優れた抑制効果を発揮している。【００５４】  更に突入電流を抑制することは、よりノイズに敏感な各種機器も適用できるようになるため、結果的に大きな省電力効果を発揮することができる。【００５５】  機器Ａは、各種の機器が対応可能である。
例えば、蛍光灯、白熱灯、ＬＥＤ等の灯具を初め、電子レンジ、電子オーブン、エアコン、アイロン等の各種機器の電流投入時も、広範な範囲で、その効果を発揮できるのである。
【実施例６】
【００５６】  図８に本発明のＩｇｒ漏電遮断装置１に、突入電流制御装置を結合させた全体回路図を示す。
本実施例６は、実施例５の効果を更に高めたものである。
交流電源Ｓのプラス側からの回路１は、ヒューズ等の遮断装置２を介して、その下流側には電流制御ユニットＵ１が配置され、交流電源Ｓのマイナス側の下流側には電流制御ユニットＵ２が同様に配置されている。【００５７】  本実施例６においては、電流制御ユニットＵ１、Ｕ２の上流側に、ノイズフィルタＦが、挿入配置されている。
ノイズフィルタＦは、安定状態となった後の通常領域においても、機器Ａに与える外乱である定常ノイズをカットし、更に機器に提供される電流、電圧の安定を高める効果を発揮することができる。
【産業上の利用可能性】
【００５８】  本発明の活用例としては、以上説明したように、マイクロチップによる小型の装置で、個別の機器配線の漏電管理、及び突入電流の抑制制御ができるため、大きな領域での機器の保護を可能にしたり、ＩＣ機器への悪影響を防ぐことができると共に個別管理による省電力効果が、発揮され、現代の地球的課題である温暖化防止に大きく寄与できると共に、新商品による産業の発展にも貢献できるきわめて実用的な発明である。
【符号の説明】
【００５９】Ａ      機器
Ｓ      交流の電源
Ｆ      ノイズフィルタ
Ｕ１、Ｕ２  電流制御ユニット
Ｉ０    アイゼロ電流
Ｉｃ    アイシー電流
Ｉｇｒ  アイジーアール電流
Ｉｋ    基準電流値
１      ＩＧＲ漏電遮断装置
２      ＩＣ基板
３      Ｉｇｒ測定部
４      漏電判断部
５      回路遮断部
５ａ    遮断・復帰レバー
６      記録・表示部
６ａ    パネル部
６ｂ    遮断状況ランプ
６ｃ    予報ランプ
１０    Ｉ０電流が、基準電流Ｉｋを超過した範囲
１１    Ｉｇｒ電流が、基準電流Ｉｋを超過した範囲
１２    元配電盤
１３    全体ブレーカー
１４    個別ブレーカー
１５    コンセント
１６    コードリール
１７    通電ソケット
１０１〜１２１    回路
【図１】
2012084494.tif 000003
【図２】
2012084494.tif 000004
【図３】
2012084494.tif 000005
【図４】
2012084494.tif 000006
【図５】
2012084494.tif 000007
【図６】
2012084494.tif 000008
【図７】
2012084494.tif 000009
【図８】
2012084494.tif 000010
【図９】
2012084494.tif 000011
【図１０】
2012084494.tif 000012